(57)【要約】【課題】動画像中において、被写体の情報を認識可能な画像表示装置を提供する。【解決手段】本発明の画像表示装置１０は、被写体に関する情報を記憶している記憶部２２，１３３，１４５と、撮像画像中の被写体を解析する解析部２１，１３１，１４１，１４２，１４３と、記憶部２２，１３３，１４５に記憶されている情報の中から、解析部２１，１３１，１４１，１４２，１４３の解析結果をもとに、撮像画像中の被写体に対応する情報を選択する選択部２３，１３２，１４４と、撮像画像中の被写体の状態を判定する状態判定部２４，１５０と、状態判定部２４，１５０で判定された被写体の状態に応じて、選択部２３，１３２，１４４で選択された情報の表示態様を選択する表示態様選択部２３，１３２，１４４と、表示態様選択部２３，１３２，１４４によって表示態様が選択された情報を、撮像画像とともに表示する表示部１２と、を備えることを特徴とする。【選択図】図３
2013165413.tif 000002
【特許請求の範囲】
【請求項１】
被写体に関する情報を記憶している記憶部と、
撮像画像中の前記被写体を解析する解析部と、
前記記憶部に記憶されている前記情報の中から、前記解析部の解析結果をもとに、前記撮像画像中の前記被写体に対応する前記情報を選択する選択部と、
前記撮像画像中の前記被写体の状態を判定する状態判定部と、
前記状態判定部で判定された前記被写体の状態に応じて、前記選択部で選択された情報の表示態様を選択する表示態様選択部と、
前記表示態様選択部によって表示態様が選択された前記情報を、前記撮像画像とともに表示する表示部と、
を備えることを特徴とする画像表示装置。
【請求項２】
請求項１に記載の画像表示装置であって、
前記表示態様選択部は、前記被写体の大きさに合わせて、前記情報の表示の大きさを変更すること、
を特徴とする画像表示装置。
【請求項３】
請求項１又は２に記載の画像表示装置であって、
前記表示態様選択部は、前記被写体のボケ具合に合わせて、前記情報の表示のボケ具合を変更すること、
を特徴とする画像表示装置。
【請求項４】
請求項１〜３のいずれか１項に記載の画像表示装置であって、
前記記憶部は、前記被写体の名称及び位置情報を記憶しており、
画像の撮像部は、位置情報取得部により撮像時における当該撮像部の位置を把握可能であり、
前記解析部は、撮影時における前記撮像部の位置と撮影光学系の状態の少なくともどちらか一方より、前記撮像画像中の前記被写体の位置を解析し、
前記選択部は、前記解析部で解析された前記被写体の位置をもとに、前記記憶部に記憶されている前記情報の中から前記被写体の名称を選択し、
前記表示部は、前記撮像画像とともに前記選択された前記被写体の名称を表示可能なこと、
を特徴とする画像表示装置。
【発明の詳細な説明】
【技術分野】
【０００１】
本発明は、画像表示装置に関するものである。
【背景技術】
【０００２】
撮影された多量の動画像の中から、所望の動画像を探し出すのは容易ではない。そのため、動画中の代表的な登場人物を決定し、決定された登場人物の画像を、代表画像としてサムルネイム等において表示する画像表示装置がある（例えば、特許文献１参照）。
【先行技術文献】
【特許文献】
【０００３】
【特許文献１】特開２０１０−２５２００８号公報
【発明の概要】
【発明が解決しようとする課題】
【０００４】
しかし、動画像内において被写体の情報認識可能なものはない。
【０００５】
本発明の課題は、動画像中において、被写体の情報を認識可能な画像表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体に関する情報を記憶している記憶部（２２，１３３，１４５）と、撮像画像中の前記被写体を解析する解析部（２１，１３１，１４１，１４２，１４３）と、前記記憶部（２２，１３３，１４５）に記憶されている前記情報の中から、前記解析部（２１，１３１，１４１，１４２，１４３）の解析結果をもとに、前記撮像画像中の前記被写体に対応する前記情報を選択する選択部（２３，１３２，１４４）と、前記撮像画像中の前記被写体の状態を判定する状態判定部（２４，１５０）と、前記状態判定部（２４，１５０）で判定された前記被写体の状態に応じて、前記選択部（２３，１３２，１４４）で選択された情報の表示態様を選択する表示態様選択部（２３，１３２，１４４）と、前記表示態様選択部（２３，１３２，１４４）によって表示態様が選択された前記情報を、前記撮像画像とともに表示する表示部（１２）と、を備えることを特徴とする画像表示装置（１０）。
請求項２に記載の発明は、請求項１に記載の画像表示装置（１０）であって、前記表示態様選択部（２３，１３２，１４４）は、前記被写体の大きさに合わせて、前記情報の表示の大きさを変更すること、を特徴とする画像表示装置（１０）。
請求項３に記載の発明は、請求項１又は２に記載の画像表示装置（１０）であって、前記表示態様選択部（２３，１３２，１４４）は、前記被写体のボケ具合に合わせて、前記情報の表示のボケ具合を変更すること、を特徴とする画像表示装置（１０）。
請求項４に記載の発明は、請求項１〜３のいずれか１項に記載の画像表示装置（１０）であって、前記記憶部（２２，１３３，１４５）は、前記被写体の名称及び位置情報を記憶しており、画像の撮像部は、位置情報取得部により撮像時における当該撮像部の位置を把握可能であり、前記解析部（２１，１３１，１４１，１４２，１４３）は、撮影時における前記撮像部の位置と撮影光学系の状態の少なくともどちらか一方より、前記撮像画像中の前記被写体の位置を解析し、前記選択部（２３，１３２，１４４）は、前記解析部（２１，１３１，１４１，１４２，１４３）で解析された前記被写体の位置をもとに、前記記憶部（２２，１３３，１４５）に記憶されている前記情報の中から前記被写体の名称を選択し、前記表示部（１２）は、前記撮像画像とともに前記選択された前記被写体の名称を表示可能なこと、を特徴とする画像表示装置（１０）。
なお、符号を付して説明した構成は、適宜改良してもよく、また、少なくとも一部を他の構成物に代替してもよい。
【発明の効果】
【０００８】
本発明によれば、動画像中において、被写体の情報を認識可能な画像表示装置を提供することができる。
【図面の簡単な説明】
【０００９】
【図１】本発明に係る画像表示装置のブロック図である。
【図２】情報付加部のブロック図である。
【図３】画像表示装置を構成するカメラのブロック構成図である。
【図４】（ａ）は被写体固定物の固有情報解析を概念的に示す図、（ｂ）は被写体固定物の名称を付加表示データとする再生画像の説明図である。
【図５】被写体像のボケ状態を反映した付加表示データの表示態様を説明する再生画像を示す図である。
【図６】被写体像の大きさとボケ状態の双方を反映した付加表示データの表示態様を説明する再生画像を示す図である。
【図７】複数の被写体の名前を付加表示データとして表示した再生画像を示す図である。
【発明を実施するための形態】
【００１０】
以下、図面等を参照して、本発明の実施形態について説明する。
図１は、本発明に係る画像表示装置１０のブロック図である。図２は、その情報付加部２０のブロック図である。図３は、画像表示装置１０を構成するカメラ１００のブロック構成図である。
【００１１】
図１に示す画像表示装置１０は、画像入力部１１と、表示部１２と、情報付加部２０と、により構成されている。
画像入力部１１は、画像情報の入力部位である。画像入力部１１は、たとえば、デジタル画像を形成するデジタルカメラやビデオカメラ等の撮影装置そのものによって構成される。また、当該画像表示装置１０をパーソナルコンピュータ（以下、ＰＣと言う）等により構成する場合には、画像入力部１１は、ケーブルや無線通信回路で接続された撮影装置や、ＣＦやＳＤ等のメモリカードおよびＤＶＤ等の記録媒体から画像情報が入力されるインターフェースがそれである。
【００１２】
表示部１２は、表示駆動回路１２Ａと、液晶パネル等による表示パネル１２Ｂと、により構成され、画像入力部１１に入力された画像情報を、表示駆動回路１２Ａによって表示パネル１２Ｂに表示する。表示パネル１２Ｂは、当該画像表示装置１０をＰＣ等により構成する場合には、その備えるモニタがこれに対応する。
【００１３】
情報付加部２０は、入力された画像情報に基づいて、その画像中の被写体に関する情報を、その画像に重ねて表示する付加表示データを形成する。
図２に示すように、情報付加部２０は、機能的な構成要素として、解析部２１と、記憶部２２と、選択部２３と、状態判定部２４と、表示態様選択部２５と、を備えている。
【００１４】
解析部２１は、入力された画像情報およびそれに付随する関連情報を解析する。たとえば、画像情報からは、被写体が人物の場合には顔を解析（顔認識）し、さらにその表情（笑顔等）を解析する。また、風景等の場合には、画像に添付されたＧＰＳなどによる撮影場所の地理的位置情報と撮影方向の情報等から、建築物や自然物等の固定被写体を解析（把握）する。
【００１５】
記憶部２２は、たとえばＲＡＭ等によって構成され、人物の顔をインデックスとして検索可能にその人物の名前その他関連情報を保持している。また、建築物や自然物の地理的位置をインデックスとして、検索可能にその名称とその他関連情報を保持している。記憶部２２が保持するこれらの情報（データベース）は、使用者が任意に入力して記憶させる。建築物や自然物の場合は、当該画像表示装置１０が用いられる地域レベルで基本的な（粗い）対象の情報が予め記憶されており、これに使用者が必要に応じてより詳細な情報をＰＣやメモリカード等を介して入力可能とする。
【００１６】
選択部２３は、記憶部２２が保持する情報の中から、解析部２１が解析した被写体と対応する固有情報を選択する。たとえば、被写体が人物の場合には、その顔の解析情報からその名前等を選択する。被写体が風景等の場合には、建築物や自然物（山等）の名称を選択する。
状態判定部２４は、解析部２１による解析結果に基づいて、被写体像の状態を判定する。被写体像の状態とは、たとえば、被写体像の大きさ（画面内における被写体像の面積比）および被写体像の合焦状態等である。
【００１７】
表示態様選択部２５は、選択部２３が選択した固有情報を画像中に表示する態様を、状態判定部２４によって判定された被写体像の状態に基づいて選択し、画像に重ねて表示する付加表示データを作成する。表示する態様とは、たとえば、文字表示の場合には、表示位置、文字の大きさ、字体、スタイル、色、飾り、ぼかし等である。また、文字表示以外のアイコン（記号）表示の場合も、字体を除き同様である。
【００１８】
上記構成の情報付加部２０は、被写体の固有情報を、被写体像の状態に基づく表示態様で、画像に重ねて表示する付加表示データを作成して出力する。
そして、このような情報付加部２０を備える画像表示装置１０は、情報付加部２０が出力する付加表示データを画像に重ねて、表示部１２における表示パネル１２Ｂに表示する。なお、付加表示データを画像に重ねて表示するか否かは、選択可能とする。
【００１９】
つぎに、図３にブロック構成図を示すカメラ１００について説明する。本実施形態におけるカメラ１００は、上記画像表示装置１０の一部を構成する。すなわち、カメラ１００は、上記画像表示装置１０における画像入力部１１と情報付加部２０の機能を備え、表示はＰＣ等の汎用の再生表示装置を用いることで画像表示装置１０を構成するものである。
なお、本実施形態におけるカメラ１００は、静止画および動画の双方を記録可能なものである。また、その形式は問わず、レンズ交換式またはレンズ一体式のいずれであっても良い。
【００２０】
カメラ１００は、撮影部１１０と、記録部１２０と、を備えている。撮影部１１０は、画像表示装置１０における画像入力部１１を構成する。また、カメラ１００は、人物判断部１３０と、固定物判断部１４０と、ボケ／合焦判定部１５０と、名前表示作成部１６０と、を備えている。人物判断部１３０と固定物判断部１４０とは、それぞれ画像表示装置１０における情報付加部２０の解析部２１，記憶部２２および選択部２３を構成する。また、ボケ／合焦判定部１５０は画像表示装置１０における情報付加部２０の状態判定部２４を、名前表示作成部１６０は画像表示装置１０における情報付加部２０の表示態様選択部２５を、それぞれ構成する。
なお、カメラ１００における上記の各機能構成要素や図示しない撮影に係る構成要素は、図示しない制御部によって統括制御される。
【００２１】
撮影部１１０は、撮影レンズ１１１と、撮像素子１１２と、フレームバッファ１１３と、データ読み出し部１１４と、画像処理部１１５と、を備えている。
撮影レンズ１１１は、結像光学系であって、図３では１つのレンズで模式的に示しているが、フォーカスレンズ群やズームレンズ群等、複数のレンズ群によって構成されている。フォーカスレンズ群の位置は、エンコーダ等によって検知されるようになっている。なお、カメラはオートフォーカス機能（以下、ＡＦと言う）を備えており、フォーカスレンズ群は、図示しない制御部によって移動制御される。
撮像素子１１２は、撮影レンズ１１１によって結像された被写体像を、電気信号に変換するたとえばＣＣＤ等の光電変換素子である。
【００２２】
そして、撮影部１１０は、撮影時において、撮像素子１１２が光電変換した画像信号をフレームバッファ１１３に取り込み、データ読み出し部１１４がフレームバッファ１１３から順次読み出し、画像処理部１１５がホワイトバランスの調整やＪＰＥＧ圧縮等を行って、その画像情報を記録部１２０に出力する。撮影部１１０（画像処理部１１５）は、後述する人物判断部１３０にも、画像情報を出力する。
【００２３】
また、画像処理部１１５は、撮影レンズ１１１におけるフォーカスレンズ群の移動による被写体像のコントラストの変化から合焦位置を検出するいわゆるコントラストＡＦの焦点検出情報をＡＦ制御のために出力するが、この焦点検出情報を、後述するボケ／合焦判定部１５０にも出力する。
さらに、撮影部１１０（撮影レンズ１１１）は、撮影レンズ１１１の位置情報を、後述する固定物判断部１４０における距離情報部１４３に出力する。
【００２４】
記録部１２０は、ビデオエンコーダ部１２１と、外部メモリ１２２と、を備えている。
ビデオエンコーダ部１２１は、撮像部１１０から入力された画像情報を、定められたファイル形式に変換して、外部メモリ１２２に記録する。
すなわち、静止画撮影の場合には、ビデオエンコーダ部１２１は、ＪＰＥＧで圧縮された静止画情報を、当該画像に関する種々の情報（露出条件、撮影時刻等）を添付して、Ｅｘｉｆファイルに記録する。
【００２５】
また、動画撮影の場合には、ビデオエンコーダ部１２１は、１秒間に所定のフレーム（コマ数）の画像を外部メモリ１２２の動画ファイルに記録する。また、当該動画像に関する種々の情報を動画ファイルに添付して記録する。
外部メモリ１２２は、ＣＦカードやＳＤカード等のメモリカードであって、カメラに着脱可能なものである。
ここで、記録部１２０は、後述する名前表示作成部１６０から入力される付加表示データを画像情報と関連づけて外部メモリ１２２に記録する。この記録形態については後に詳述する。
【００２６】
人物判断部１３０は、顔認識部１３１と、人物判定部１３２と、顔情報登録部１３３と、を備えている。
顔認識部１３１は、撮影部１１０（画像処理部１１５）から入力される画像情報に基づいて、被写体人物の顔を認識し、その顔情報を人物判定部１３２に出力する。
人物判定部１３２は、顔認識部１３１から入力された顔情報に基づいて、後述する顔情報登録部１３３に登録された人物情報を検索して人物を特定し、その固有情報（名前）と、画像中における顔の大きさに関する情報と、を後述する名前表示作成部１６０に出力する。
顔情報登録部１３３は、人物の顔をインデックスとして検索可能にその人物の名前その他関連情報を保持している。この保持情報（データベース）は、撮影した人物の顔に対して、使用者が任意に入力して記憶させるようになっている。
【００２７】
固定物判断部１４０は、位置情報受信部１４１と、位置情報解析部１４２と、距離情報部１４３と、被写体判定部１４４と、被写体情報登録部１４５と、を備えている。
位置情報受信部１４１は、たとえばＧＰＳ衛星からの電波を受信し、信号処理して位置情報解析部１４２に出力する。
位置情報解析部１４２は、入力されたＧＰＳ衛星からの信号を解析し、位置情報受信部１４１の（すなわちカメラ１００の）地理上の位置（位置座標）と、方位（撮影レンズ１１１が向いている撮影方向）を演算し、被写体判定部１４４に出力する。
【００２８】
距離情報部１４３は、撮影部１１０（撮影レンズ１１１）から入力されるフォーカスレンズ群やズームレンズ郡の情報に基づいてカメラ１００から被写体までの距離を推定し、その距離情報を被写体判定部１４４に出力する。
被写体判定部１４４は、位置情報解析部１４２から入力された（カメラ１００の）地理上の位置および方位情報と、距離情報部１４３から入力された被写体までの距離情報と、に基づいて、後述する被写体情報登録部１４５に登録された固定物情報を検索して固定物を特定し、その固有情報（名前）と、画像中における被写体固定物の大きさに関する情報と、を後述する名前表示作成部１６０に出力する。なお、方位情報もしくは距離情報のうちどちらか一方のみで、画像中の被写体固定物の大きさを特定し、被写体判定部１４４に出力するようにしてもよい。
【００２９】
被写体情報登録部１４５は、建築物や自然物の地理的位置座標をインデックスとして、検索可能にその名称とその他関連情報を保持している。これらの情報は、カメラ１００が用いられる地域の基本的な（粗い）対象の情報が予め記憶されており、これに使用者が必要に応じてより詳細な情報をＰＣやメモリカード等を介して入力可能となっている。たとえば、出荷時には大雑把な全国版が入っていて、関東版をダウンロードするとより詳細な関東版が得られる。
【００３０】
図４（ａ）に、固定物判断部１４０による、被写体固定物の固有情報解析を概念的に示す。すなわち、カメラ１００の地理上の位置と、その向きと、被写体固定物である被写体建築物３１′までの距離と、に基づいて、被写体情報登録部１４５が保持する建築物の情報内から被写体建築物３１′を特定するものである。
【００３１】
ボケ／合焦判定部１５０は、撮影部１１０（画像処理部１１５）から入力される焦点検出情報に基づいて、被写体像のボケ状態を判定し、名前表示作成部１６０に出力する。なお、このボケ／合焦判定部１５０が利用する焦点検出情報は、図３中に一点鎖線で示すように、撮影部１１０における撮像素子１１２を用いた位相差ＡＦによる焦点検出情報でも良く、カメラ１００の合焦構成に対応した構成とする。
【００３２】
名前表示作成部１６０は、人物判断部１３０における人物判定部１３２から入力された被写体人物の固有情報（名前）を表示すると共に、それに、ボケ／合焦判定部１５０から入力された被写体人物像のボケ状態と、人物判定部１３２から入力された顔の大きさに関する情報と、を反映させた付加表示データを作成する。
具体的には、被写体人物の名前の文字列（テキスト）を、被写体像のボケ状態に対応させてボカし、且つ、被写体人物の顔の大きさと対応する大きさとして、画像上における被写体人物像の近傍に配置する付加表示データを作成する。
【００３３】
また、名前表示作成部１６０は、固定物判断部１４０における被写体判定部１４４から入力された被写体固定物の固有情報（名前）に、ボケ／合焦判定部１５０から入力された被写体固定物像のボケ状態と、画像から判定された被写体固定物像の大きさと、を反映させた付加表示データを作成する。
具体的には、被写体固定物の名前の文字列（テキスト）を、被写体固定物像のボケ状態に対応させてボカし、且つ、被写体固定物像の大きさと対応する大きさとして、画像上における被写体固定物像の近傍に配置する付加表示データを作成する。
【００３４】
名前表示作成部１６０が作成した付加表示データは、前述したように、記録部１２０（外部メモリ１２２）に、画像と対応させて記録される。
なお、撮影時において、カメラ１００の図示しない液晶モニタに付加表示データを重ねた画像を表示するようにしても良い。
【００３５】
ここで、記録部１２０における外部メモリ１２２に画像情報と付加表示データとを記憶する形態には、付加表示データを重ねた画像を形成して外部メモリ１２２に記録するもの（以下、画像重合記録と言う）と、付加表示データを画像ファイルの添付情報として記録するもの（以下、データ添付記録と言う）と、の２つがあり、両者を切り換え選択できるものとする。画像重合記録の場合には、再生表示装置を問わず画像再生時には付加表示データの表示の有る画像が再生される。一方、データ添付記録の場合には、付加表示データの表示には対応する機能を備える再生表示装置が必要となるが、再生時において付加表示データの表示の有無を選択することが可能となる。
また、画像重合記録とデータ添付記録の双方を別ファイルで同時に記録するようにしても良い。そうすれば、記録する情報量は多くなるが、どのような再生表示装置であっても付加表示データの表示／非表示を選択した画像再生が可能となる。
【００３６】
上記のように構成されたカメラ１００は、被写体を静止画または動画で画像情報として撮影すると共に、被写体の固有情報をその被写体像の状態に対応した態様で、画像に重ねて表示可能な付加表示データを形成する。その付加表示データは、記録部１２０における外部メモリ１２２に画像情報と一体にまたは添付情報として記録される。
【００３７】
カメラ１００によって撮像され外部メモリ１２２に記録された画像情報および付加表示データは、前述したように、カメラ１００から取り出された外部メモリ１２２が再生表示装置に装着されて、また、カメラ１００が再生表示装置とケーブルまたは無線通信回路等によって接続されて、再生表示装置によって再生される。
【００３８】
つぎに、上記構成のカメラ１００によって撮像された画像情報に付加表示データが付加された再生画像について、図４（ｂ）〜図７を参照して説明する。
図４（ｂ）被写体固定物の名称を付加表示データとした表示した再生画像の説明図である。図５は、被写体像のボケ状態を反映した付加表示データの表示態様を説明する再生画像を示す図である。図６は、被写体像の大きさとボケ状態の双方を反映した付加表示データの表示態様を説明する再生画像を示す図である。図７は、複数の被写体の名前を付加表示データとして表示した再生画像を示す図である。
【００３９】
図４（ｂ）は、被写体固定物の名称を付加表示データとした表示した再生画像を示している。
すなわち、図４（ｂ）は、図４（ａ）に示すように固定物被写体として被写体建築物３１′を撮影した画像の例であって、再生画像中に、固定物判断部１４０によって解析された被写体建築物３１′の名称を、画面中の被写体建築物像３１の近傍に、その像の大きさと対応する大きさのテキストで表示（名称文字表示３２）する。なお、ボケに関しては、図示しないが、後述する図５において説明する被写体人物の場合と同様に、名前の表示を被写体建築物像３１のボケ状態と対応するようにボカして表示する。
【００４０】
図５は、被写体人物を中心として合焦位置が遠近方向に変化した場合における、再生画像を示している。たとえば、距離変化のない被写体人物に対して、合焦位置を挟んで前ピンから後ピンに変化させたような状態である。
図５（ａ）は、被写体人物像４１のボケが大きく、人物判断部１３０が被写体人物を判定できない状態であり、名前表示作成部１６０は付加表示データを形成せず、表示は行わない。
図５（ｂ）は、ボケが小さくなり、人物判断部１３０における人物判定部が被写体人物の名前を判定することが可能となった状態であり、画面中の被写体人物像４１の顔の近傍に名前をテキストで、且つその文字を被写体人物像４１のボケ状態と対応するようにボカして表示（名前文字表示４２）する。
図５（ｃ）は、被写体人物に合焦した状態であり、画面中の被写体人物像４１の顔の近傍に名前をテキストでクリアに表示（名前文字表示４２）する。
図５（ｄ）は、合焦状態を通り過ぎて被写体人物像４１が小さくボケた状態であり、画面中の被写体人物像４２の顔の近傍に名前をテキストで、且つその文字を被写体人物のボケ状態と対応するようにボカして表示（名前文字表示４２）する。
図５（ｅ）は、合焦状態から大きく外れて被写体人物像４１が大きくボケ、人物判断部１３０が人物を判定できない状態であり、名前表示作成部１６０は付加表示データを形成せず、表示は行わない。
【００４１】
また、図６は、被写体人物を中心として、遠近方向に合焦位置が変化した場合における、再生画像を示している。つまり、ピント位置は固定されていて、被写体人物が遠方から接近して来るような状態である。
図６（ａ）は、被写体人物像４１は大きさが小さく、ボケが大きい。人物判断部１３０が人物を判定できない状態であり、名前表示作成部１６０は付加表示データを形成せず、表示は行わない。
図６（ｂ）は、被写体人物像４１は大きさが小さいがボケが小さくなり、人物判断部１３０における人物判定部が被写体人物の名前を判定することが可能となった状態であり、画面中の被写体人物像４１の顔の近傍に、名前を人物像の大きさと対応する小さなテキストで、且つその文字を被写体人物のボケ状態と対応するようにボカして表示（名前文字表示４２）する。
図６（ｃ）は、被写体人物像４１が大きくなると共に被写体人物に合焦した状態であり、画面中の被写体人物像４１の顔の近傍に、名前を被写体人物像４１の大きさと対応する大きさのテキストでクリアに表示（名前文字表示４２）する。
図６（ｄ）は、合焦状態を通り過ぎて被写体人物像４１の大きさは大きくボケが小さい状態であり、画面中の被写体人物４１の顔の近傍に、名前を人物像の大きさと対応する大きなテキストで、且つその文字を被写体人物のボケ状態と対応するようにボカして表示（名前文字表示４２）する。
図６（ｅ）は、被写体人物像４１の大きさが特に大きくなり、合焦状態から大きく外れて大きくボケ、名前表示作成部１６０は付加表示データを形成せず、表示は行わない。なお、このように被写体が極めて大きくても合焦している場合には、テキストの文字表示が画面からはみ出してしまうように表示しても良い。
【００４２】
図７に示すように、複数の被写体人物と被写体固定物とが複数存在する場合には、被写体人物像４１，５１については、それぞれの名前をその大きさに対応して表示（名前文字表示４２，５２）する。また、建築物像３１についても、その名前を大きさに対応して表示（名称文字表示３２）する。なお、このように被写体が複数ある場合にも、前述した被写体人物の場合と同様に、名前の表示を個々の被写体像３１，４１，５１のボケ状態と対応するようにボカして表示するものである。
【００４３】
以上、本実施形態によると、以下の効果を有する。
（１）本実施形態による画像表示装置１０は、静止画または動画で撮影された画像情報に対して、被写体の固有情報をその撮影状態に対応した態様で、画像に重ねて表示することができる。すなわち、被写体の名前を、被写体像の大きさやボケ状態に対応させて画像に重ねて表示する。これにより、迫力、面白さ、躍動感、のある画像再生が可能となる。
【００４４】
（変形形態）
以上、説明した実施形態に限定されることなく、以下に示すような種々の変形や変更が可能であり、それらも本発明の範囲内である。
（１）本実施形態では、被写体の名前等を、被写体像の大きさやボケ状態に対応させて画像に重ねて表示するものを例示した。しかし、被写体の撮影状態に対応した態様は、これに限るものではない。たとえば、被写体人物の顔の傾きに合わせて表示文字も傾ける、被写体人物の顔の表情を読み取って、笑顔のときは表示文字の色を変える、被写体人物の性別を読み取って男女で表示文字の色を変える（女の子だとピンク、男の子だと青等）、等の構成としても良い。
また、表示文字の書体は、選択可能としても良い。
【００４５】
（２）本実施形態におけるカメラ１００は、被写体を静止画または動画で画像情報として撮影すると共に付加表示データを形成し、画像情報および付加表示データの再生は再生表示装置によって行う。つまり、カメラ１００と再生表示装置とで、画像表示装置を構成する。しかし、カメラ１００が備える液晶モニタに付加表示データを重ねた画像を再生表示するように構成し、カメラ１００を画像表示装置としても良い。
【００４６】
（３）本実施形態におけるカメラ１００は、被写体の名前等の付加情報データを配置する位置を、被写体人物の顔認識によって撮像画像内の被写体人物の位置を特定し、両者が重ならない位置に表示するようにしても良い。
なお、実施形態及び変形形態は、適宜組み合わせて用いることもできるが、詳細な説明は省略する。また、本発明は以上説明した実施形態によって限定されることはない。
【符号の説明】
【００４７】
１０：画像表示装置、１１：画像入力部、１２：表示部、２０：情報付加部、２１：解析部、２２：記憶部、２３：選択部、２４：状態判定部、２５：表示態様選択部、３１：被写体建築物像、３１′：被写体建築物、３２：名称文字表示、４１，５１：被写体人物像、４２，５２：名前文字表示、１００：カメラ、１１０：撮影部、１１１：撮影レンズ、１２０：記録部、１３０：人物判断部、１３１：顔認識部、１３２：人物判定部、１３３：顔情報登録部、１４０：固定物判断部、１４１：位置情報受信部、１４２：位置情報解析部、１４３：距離情報部、１４４：被写体判定部、１４５：被写体情報登録部、１５０：ボケ／合焦判定部、１６０：名前表示作成部
【図１】
2013165413.tif 000003
【図２】
2013165413.tif 000004
【図３】
2013165413.tif 000005
【図４】
2013165413.tif 000006
【図５】
2013165413.tif 000007
【図６】
2013165413.tif 000008
【図７】
2013165413.tif 000009